(57)【要約】【課題】取り扱いが容易でトリムカバーと背面カーペットの一体感が得られ、トリムカバーと背面カーペットの結合部が見栄えの良いシートカバーのトリム構造を提供する。【解決手段】シートバックフレームと、シートバックフレームの前側に取り付けられるクッション体と、シートバックフレームの後側に取り付けられ複数の取付け孔が設けられる背面ボードと、前方側から覆うように取り付けられるトリムカバーと、後方側から取り付けられる背面カーペットと、を有する車両後部座席用の可倒式リアシートにおいて、トリムカバー上面から延長された自由端に設けられ、長手方向側端に矢じり状の突起を有する長尺なアローファスナーと、カーペットの上端に設けられ、アローファスナーの突起が係止されるＵ字溝と、背面ボードの取付け孔にはめ込まれる矢じり状の突起を有する長尺なＴ字形レールファスナーと、が備えられる。【選択図】図１
2010075466.tif 000002
【特許請求の範囲】
【請求項１】
シートバックフレームと、前記シートバックフレームの前側に取り付けられるクッション体と、前記シートバックフレームの後側に取り付けられ複数の取付け孔が設けられる背面ボードと、前方側から覆うように取り付けられるトリムカバーと、後方側から取り付けられる背面カーペットと、を有する車両後部座席用の可倒式リアシートにおいて、
前記トリムカバー上面から延長された自由端に設けられ、長手方向側端に矢じり状の突起を有する長尺なアローファスナーと、
前記カーペットの上端に設けられ、前記アローファスナーの突起が係止されるＵ字溝と前記背面ボードの取付け孔にはめ込まれる矢じり状の突起を有する長尺なＴ字形レールファスナーと、が備えられることを特徴とするシートカバーのトリム構造。
【請求項２】
前記トリムカバーの両側面および底面から延長された自由端に、前記背面ボードの取付け孔に引っ掛けるフック部材が設けられることを特徴とする請求項１に記載のシートカバーのトリム構造。
【発明の詳細な説明】
【技術分野】
【０００１】
本発明は、車両用の可倒式リアシートに係り、より詳細には、取付けが容易で見栄えもよいシートカバーのトリム構造に関する。
【背景技術】
【０００２】
従来、可倒式リアシートのシートカバーはトリムカバーと背面カーペットからなり、両者が縫い合わされて袋状とされ、クッション体が取り付けられたシートバックフレームを覆うことで、リアシートが組み立てられていた。トリムカバー上面の延長された自由端と背面カーペット上端が縫い合わされるが、トリムカバーと背面カーペットを組み付ける際、皺がつかないように引っ張るので、トリムカバーと背面カーペットの間の縫い目が切れるとの問題があった。また、袋状に一体化したものは形状が大きく取り扱いが容易ではなかった。
【０００３】
特許文献１では、トリムカバーと背面カーペットを縫い合わせることはせず、別々に扱っている。ここでは背面カーペットを背面ボードにあらかじめ固定しておく。一方、トリムカバーは、自由端に取り付けたクリップを背面ボードの取り付け孔に押し込んで固定する。この方法は、トリムカバーと背面カーペットを縫い合わせないので、取り扱いが容易ではあるが、トリムカバーと背面カーペットが連結されないのでカバーとしての一体感が得られない。また、背面ボードの取り付け孔にクリップを係止した時、トリムカバーの自由端に皺が出る。そのため、見栄えを良くするトリミング作業が大変にならざるを得ない。
【特許文献１】特開平８−８５５号公報
【発明の開示】
【発明が解決しようとする課題】
【０００４】
本発明の目的は、取り扱いが容易で、トリムカバーと背面カーペットの一体感が得られ、トリムカバーと背面カーペットの結合部の見栄えが良いシートカバーのトリム構造を提供することにある。
【課題を解決するための手段】
【０００５】
上記の目的を達成するため、本発明による請求項１に記載のシートカバーのトリム構造は、シートバックフレームと、前記シートバックフレームの前側に取り付けられるクッション体と、前記シートバックフレームの後側に取り付けられ複数の取付け孔が設けられる背面ボードと、前方側から覆うように取り付けられるトリムカバーと、後方側から取り付けられる背面カーペットと、を有する車両後部座席用の可倒式リアシートにおいて、前記トリムカバー上面から延長された自由端に設けられ、長手方向側端に矢じり状の突起を有する長尺なアローファスナーと、前記カーペットの上端に設けられ、前記アローファスナーの突起が係止されるＵ字溝と前記背面ボードの取付け孔にはめ込まれる矢じり状の突起を有する長尺なＴ字形レールファスナーと、が備えられることを特徴とする。
【０００６】
請求項２は、前記トリムカバーの両側面および底面から延長された自由端に、前記背面ボードの取付け孔に引っ掛けるフック部材が設けられることを特徴とする。
【発明の効果】
【０００７】
請求項１に記載のシートカバーのトリム構造によれば、トリムカバーと背面カーペットを別々に扱うので、取り扱いが容易で作業性を改善できる。また、トリムカバー上面の自由端に長尺なアローファスナーを設け、これを背面ボードに設けた長尺なＴ字形レールファスナーに係止するので、トリムカバーと背面カーペットが結合され一体感が出せる。トリムカバーと背面カーペットを縫い合わせるものではないのではなく、ファスナーによる係合なので縫い目が切れるとの問題もない。さらに、トリムカバーと背面カーペットが結合された時、トリムカバーの端部が均一に引かれるので皺がなく見栄えが良いものにできる。
【０００８】
請求項２によれば、トリムカバーの両側面および底面の自由端にフック部材を設けたので、簡単に背面ボードの取付け孔に引っ掛けることができる。リアシートの両側は上下に直線的なものではなく、下側に向って細く湾曲している場合が多いが、湾曲していてもフックなら、トリムカバーの取り付けを容易にできる。なお、フック部材を引っ掛けた背面ボードは背面カーペットで覆われるので、フック部材は外側から見えないようにできる。
【発明を実施するための最良の形態】
【０００９】
以下、図面を参照して本発明によるシートカバーのトリム構造を説明する。
【実施例】
【００１０】
図１は、本発明による可倒式リアシートを構成要素に分解して示した斜視図である。可倒式リアシート１０は、パイプで形成されたシートバックフレーム１と、シートバックフレーム１の前側に取り付けられるクッション体３と、シートバックフレーム１の後側に取り付けられる背面ボード２と、シートバックフレーム１とクッション体３と背面ボード２を覆うトリムカバー４と、トリムカバー４の後側に取り付けられる背面カーペット５からなる。
【００１１】
背面ボード２は、軽量化のためハニカム構造とされ、複数の取り付け孔２ａが設けられる。また、背面ボード２はシートバックフレーム１にねじ着されて取り付ける。トリムカバー４は、上下左右が延長されて自由端となっている。上部の自由端には、矢じり状の突起７ａのある長尺なアローファスナー７が設けられる。両側面と下面の自由端にはフック部材８が設けられる。背面カーペット５の上端には、Ｕ字溝６ｂと脚部６ｃに矢じり状の突起６ａを有する長尺なＴ字形レールファスナー６が設けられる。
【００１２】
ここで、アローファスナー７の矢じり状の突起７ａは、Ｔ字形レールファスナー６のＵ字溝６ｂに挿入され係止される。Ｔ字形レールファスナー６の矢じり状の突起６ａは、背面ボード２の取り付け孔２ａにはめ込まれる。トリムカバー４のフック部材８は、背面ボード２の取り付け孔２ａに引っ掛ける。
【００１３】
図２は、図１の左右方向中央の縦断面である。図２に示すように、トリムカバー４は、Ｔ字形レールファスナー６により、背面カーペット５と結合されるので、一体感あるものとできる。また、結合部は直線状として見栄えがよい。トリムカバー４の自由端には皺ができない。なお、可倒式リアシート１０は矢印で示すように前方に倒すことができる。
【００１４】
図３は、可倒式リアシートの組み立て手順を示す流れ図である。Ｓ１０はシートバックフレーム１の前側にクッション体３を、後側に背面ボード２を取り付ける段階を示す。Ｓ１１は、Ｓ１０で組み付けたクッション体３とシートバックフレーム１と背面ボード２に、トリムカバー４をかぶせる段階である。Ｓ１２は、トリムカバー４のフック部材８を背面ボード２の取り付け孔２ａに引っ掛ける段階である。Ｓ１３は、背面カーペット５の上端に設けられたＴ字形レールファスナー６の矢じり状の突起６ａを背面ボード２の取り付け孔２ａにはめ込む段階である。Ｓ１４は、トリムカバー４の上面の自由端に設けられたアローファスナー７の矢じり状の突起７ａをＴ字形レールファスナー６のＵ字溝６ｂに係止する段階である。フック部材８は、最終的には背面カーペット５で覆われるので外からは見えない。なお、背面カーペット５の両側端は、露出しておりトリムカバーで覆われるものではないので、端部には縁取りなどの処理が施されることが望ましい。また、背面カーペット５の両側は、浮き上がらないようにバンドで固定される。
【産業上の利用可能性】
【００１５】
本発明は、取付けが容易で見栄えもよいので、車両用の可倒式リアシートのシートカバーとして好適である。
【図面の簡単な説明】
【００１６】
【図１】本発明による可倒式リアシートを構成要素に分解して示した斜視図である。（実施例１）
【図２】図１の左右方向中央の縦断面である。
【図３】図１の可倒式リアシートの組み立て手順を示す流れ図である。
【符号の説明】
【００１７】
１    シートバックフレーム
２    背面ボード
２ａ    取り付け孔
３    クッション体
４    トリムカバー
５    背面カーペット
６    Ｔ字形レールファスナー
６ａ    矢じり状の突起
６ｂ    Ｕ字溝
６ｃ    脚部
７    アローファスナー
７ａ    矢じり状の突起
８    フック部材
１０    可倒式リアシート
Ｓ１０〜Ｓ１４    組み立ての各段階
【図１】
2010075466.tif 000003
【図２】
2010075466.tif 000004
【図３】
2010075466.tif 000005